(57)【要約】【課題】複数の厚みの管路に対応することができ、内部のケーブルや収容物を損傷することなく管路の切断作業を行うことが可能な鋸の歯の出代調整装置を提供することを目的とする。【解決手段】本発明にかかる鋸の歯の出代調整装置１００の構成は、鋸１０２の歯１０２ａを挿入可能でありそれぞれ深さが異なる複数の溝１１２ａ−１１２ｄを有するゲージプレート１１０と、鋸１０２の歯１０２ａをゲージプレート１１０の複数の溝１１２ａ−１１２ｄのうち所定の深さの溝に挿入した状態で鋸１０２を挟んで固定するストッパー１２０と、を備えることを特徴とする。【選択図】図３
2020015140.tif 000002
【特許請求の範囲】
【請求項１】
鋸の歯を挿入可能でありそれぞれ深さが異なる複数の溝を有するゲージプレートと、
前記鋸の歯を前記ゲージプレートの複数の溝のうち所定の深さの溝に挿入した状態で該鋸を挟んで固定するストッパーと、
を備えることを特徴とする鋸の歯の出代調整装置。
【請求項２】
前記ストッパーは、アルミニウム系金属製であることを特徴とする請求項１に記載の鋸の歯の出代調整装置。
【請求項３】
前記鋸の端部は、湾曲していて、前記ストッパーの縁よりも突出していることを特徴とする請求項１または２に記載の鋸の歯の出代調整装置。
【請求項４】
前記ストッパーは、指を引っ掛けるハンドルを有することを特徴とする請求項１から３のいずれか１項に記載の鋸の歯の出代調整装置。
【請求項５】
請求項１から４のいずれか１項に記載の鋸の歯の出代調整装置を用いた鋸の歯の出代調整方法であって、
鋸の歯を前記ゲージプレートの複数の溝のうち所定の深さの溝に挿入し、
前記鋸を挟んで固定する前記ストッパーを該鋸に取り付け、
前記ストッパーの下端を前記ゲージプレートの上面に当接させた状態で前記ストッパーを固定することを特徴とする鋸の歯の出代調整方法。
【請求項６】
ケーブルまたは収容物が収容された管路が設置された現場における管路の切断方法であって、
前記管路のうち切断する区間の両端の２箇所の外周を鋸によって薄肉を残した状態で切断し、
前記残った薄肉に鋸の端を貫通させることにより該薄肉を破断して前記切断する区間の管路を筒状に分断し、
前記分断した管路を前記ケーブルにぶら下げた状態で該分断した管路の下部を軸方向に切断することにより該ケーブルから取り外すことを特徴とする管路の切断方法。
【発明の詳細な説明】
【技術分野】
【０００１】
本発明は、地中に埋設した管路を切断する際に用いられる鋸の歯の出代調整装置、かかる出代調整装置を用いた鋸の歯の出代調整方法および管路の切断方法に関するものである。
【背景技術】
【０００２】
近年、都市における景観への配慮や安全性という観点から地中配線の普及が進んでいる。地中配線では、地中に配管を埋設し、かかる配管内に電力ケーブルや通信ケーブル等（以下、単に電力ケーブルと称する）を敷設する。地中には点検用のマンホールが設けられていて、隣接するマンホール同士の間は、電力ケーブルが配管に収容された管路によって接続されている。
【０００３】
管路部分において電力ケーブルを分岐させたり、管路部分に新たにマンホールを建設したり場合には、その箇所の管路を切断する必要がある。このとき、管路（配管）の内部に収容されている電力ケーブルを損傷しないよう、切断作業には細心の注意を払う必要がある。
【０００４】
管路を切断する工具としては、特許文献１のようなストッパー付きナイフ刃物を例示することができる。特許文献１では、ナイフ刃物に治具を装着していて、かかる治具は、ナイフ刃物の鋸歯状刃から予め定められた切り込み深さ分だけ上側の位置に設けられて切り込み深さを規制する切り込みストッパー部を有する。管路の切断作業に特許文献１のストッパー付きナイフ刃物を適用すれば、内部の電力ケーブルを損傷することなく管路（配管）を切断することができると考えられる。
【先行技術文献】
【特許文献】
【０００５】
【特許文献１】特開２００６−８７５８９号公報
【発明の概要】
【発明が解決しようとする課題】
【０００６】
ここで、地中配線に用いられる管路の厚みには多くの種類がある。このため、特許文献１のように治具によって切り込み深さを規制する手法であると、治具の切り込み深さが管路の厚みとは異なった場合、切断作業を行うことができない。それを避けるためには、切り込み深さが異なる複数の治具を現場まで持っていく必要がある。すると、作業道具が増えるため、重量が増し、作業者の負担が大きくなってしまう。
【０００７】
本発明は、このような課題に鑑み、複数の厚みの管路に対応することができ、内部のケーブルや収容物を損傷することなく管路の切断作業を行うことが可能な鋸の歯の出代調整装置、鋸の歯の出代調整方法および管路の切断方法を提供することを目的とする。
【課題を解決するための手段】
【０００８】
上記課題を解決するために、本発明にかかる鋸の歯の出代調整装置の代表的な構成は、鋸の歯を挿入可能でありそれぞれ深さが異なる複数の溝を有するゲージプレートと、鋸の歯をゲージプレートの複数の溝のうち所定の深さの溝に挿入した状態で鋸を挟んで固定するストッパーと、を備えることを特徴とする。
【０００９】
上記構成によれば、ゲージプレートの複数の溝のうち、管路の厚みに対応した深さの溝を選択して鋸の歯を挿入してストッパーで鋸を固定することにより、鋸の歯の出代を管路の厚みとほぼ等しく調整することができる。したがって、鋸の歯が管路の内部に収容されている電力ケーブルに接触することなく管路を切断することが可能となり、管路切断時の電力ケーブルの損傷を好適に防止することができる。
【００１０】
また上記構成では、ゲージプレートには、深さの異なる複数の溝が形成されている。これにより、１つのゲージプレートで、複数の種類の管路の厚みに合わせて鋸の歯の出代を調整することができる。したがって、１つの出代調整装置で複数の厚みの管路に対応することが可能である。
【００１１】
上記ストッパーは、アルミニウム系金属製であるとよい。アルミニウム系金属は柔らかい金属である。このため、ストッパーによって鋸を挟んで（締め付けて）固定した際に、鋸の背がストッパーに食い込み、ストッパーが変形する。これにより、鋸の位置ずれを防ぎ、歯の出代を正確に維持することが可能となる。
【００１２】
上記鋸の端部は、湾曲していて、ストッパーの縁よりも突出しているとよい。かかる構成によれば、鋸の歯によって管路を外側から切断していった際に残った管路の内側の薄肉を鋸の端部によって破断することができる。このとき、鋸の端部が湾曲している、すなわち鋭利ではないことにより、仮に鋸の端部が管路の内部に収容されている電力ケーブルと接触したとしても、電力ケーブルを傷つけることがない。したがって、電力ケーブルの損傷をより確実に防止することが可能となる。
【００１３】
上記ストッパーは、指を引っ掛けるハンドルを有するとよい。これにより、鋸を引くときに力をかけやすい。したがって出代調整装置を用いた管路の切断作業時の作業性を高めることが可能となる。
【００１４】
上記課題を解決するために、本発明にかかる鋸の歯の出代調整方法の代表的な構成は、上記の鋸の歯の出代調整装置を用いた鋸の歯の出代調整方法であって、鋸の歯を前記ゲージプレートの複数の溝のうち所定の深さの溝に挿入し、鋸を挟んで固定するストッパーを鋸に取り付け、ストッパーの下端をゲージプレートの上面に当接させた状態でストッパーを固定することを特徴とする上述した鋸の歯の出代調整装置における技術的思想に対応する構成要素やその説明は、当該鋸の歯の出代調整方法にも適用可能である。
【００１５】
上記課題を解決するために、本発明にかかる管路の切断方法の代表的な構成は、ケーブルまたは収容物が収容された管路が設置された現場における管路の切断方法であって、管路のうち切断する区間の両端の２箇所の外周を鋸によって薄肉を残した状態で切断し、残った薄肉に鋸の端を貫通させることにより薄肉を破断して切断する区間の管路を筒状に分断し、分断した管路をケーブルにぶら下げた状態で分断した管路の下部を軸方向に切断することによりケーブルから取り外すことを特徴とする。
【００１６】
複数の管路が設置されている現場では、切断対象とする管路の上下方向や左右方向に他の管路が配置されているため、作業空間が極めて狭く、切断作業を効率的に行うことが難しい。そこで上記構成では、上記の出代調整装置を用いた鋸で薄肉を残した状態で管路を切断し、薄肉を破断して管路を分断する。そして分断した管路をケーブルにぶら下げた状態で分断した管路の下部を軸方向に切断する。このとき、分断した管路をケーブルにぶら下げた状態とすると、ケーブルと管路の下部と間に空間が生じる。これにより、管路の下部を切断する際の鋸とケーブルとの接触を防ぐことができる。したがって、狭い空間であっても、ケーブルを損傷することなく、良好に切断作業を行うことが可能となる。
【発明の効果】
【００１７】
本発明によれば、複数の厚みの管路に対応することができ、内部のケーブルや収容物を損傷することなく管路の切断作業を行うことが可能な鋸の歯の出代調整装置、鋸の歯の出代調整方法および管路の切断方法を提供することができる。
【図面の簡単な説明】
【００１８】
【図１】本実施形態にかかる鋸の歯の出代調整装置を説明する図である。
【図２】図１に示す出代調整装置を用いた鋸の歯の出代調整方法を説明する図である。
【図３】管路の切断が必要となる現場について説明する図である。
【図４】管路部に埋設されている管路が１本の場合の切断方法を説明する図である。
【図５】本実施形態にかかる管路の切断方法を説明する図である。
【図６】薄肉の破断作業を説明する図である。
【図７】ハンドルについて説明する図である。
【発明を実施するための形態】
【００１９】
以下に添付図面を参照しながら、本発明の好適な実施形態について詳細に説明する。かかる実施形態に示す寸法、材料、その他具体的な数値等は、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
（鋸の歯の出代調整装置）
図１は、本実施形態にかかる鋸の歯の出代調整装置（以下、出代調整装置１００と称する）を説明する図である。図１に示すように、本実施形態の出代調整装置１００は、ゲージプレート１１０およびストッパー１２０を含んで構成される。ゲージプレート１１０には複数の溝１１２ａ・１１２ｂ・１１２ｃ・１１２ｄが形成されている。複数の溝１１２ａ−１１２ｄは、それぞれ深さが異なり、鋸１０２の歯１０２ａを挿入可能である。溝の深さ（鋸歯の出代）は、例えば、３ｍｍ、３．５ｍｍ、４ｍｍ、４．５ｍｍなどである。
【００２１】
ストッパー１２０は、鋸１０２の歯１０２ａをゲージプレート１１０の複数の溝１１２ａ−１１２ｄのうち所定の深さの溝に挿入した状態で鋸１０２を挟んで（締め付けて）固定する。ストッパー１２０は、２つの挟持片１２２を含んで構成され、２つの挟持片１２２はボルト１０４によって接続される。
【００２２】
（鋸の歯の出代調整装置）
図２は、図１に示す出代調整装置１００を用いた鋸の歯の出代調整方法（以下、単に出代調整方法と称する）を説明する図である。本実施形態の出代調整方法では、まず図２（ａ）に示すようにゲージプレート１１０の複数の溝１１２ａ−１１２ｄのうち所定の深さの溝（図２では１１２ｃを例示）に鋸１０２の歯１０２ａを挿入する。そして、ストッパー１２０を鋸１０２に取り付ける。
【００２３】
次に、図２（ｂ）に示すようにストッパー１２０の下端をゲージプレート１１０の上面１１０ａに当接させた状態でボルト１０４をナット１０６に締結し、ストッパー１２０を鋸１０２に固定する。これにより、図２（ｃ）に示すように、鋸１０２がストッパー１２０の挟持片１２２に挟まれた状態で固定され、鋸１０２の歯１０２ａの出代が溝１１２ｃの深さと等しく調整される。
【００２４】
上記構成によれば、ゲージプレート１１０の複数の溝１１２ａ−１１２ｄのうち、切断対象となる管路の厚みに対応した深さの溝を選択して鋸１０２の歯１０２ａを挿入してストッパー１２０で鋸１０２を固定することにより、鋸１０２の歯１０２ａの出代を管路の厚みとほぼ等しく調整することができる。したがって、鋸１０２の歯が管路の内部に収容されている電力ケーブルに接触することなく管路を切断することが可能となり、管路切断時の電力ケーブルの損傷を好適に防止することができる。
【００２５】
また上述したゲージプレート１１０では、深さの異なる複数の溝１１２ａ−１１２ｄが形成されている。これにより、１つのゲージプレート１１０で、複数の種類の管路の厚みに合わせて鋸１０２の歯１０２ａの出代を調整することができる。したがって、１つの出代調整装置１００で複数の厚みの管路に対応することが可能である。
【００２６】
上述したストッパー１２０は、アルミニウム系金属製であるとよい。アルミニウム系金属は柔らかい金属であるため、ストッパー１２０によって鋸１０２を挟んで固定した際に、鋸１０２の背がストッパー１２０に食い込み、ストッパー１２０が変形する。これにより、鋸１０２の位置ずれを防ぎ、調整後の鋸１０２の歯１０２ａの出代を正確に維持することが可能となる。
【００２７】
またストッパー１２０は、指を引っ掛けるハンドルを有するとよい。これにより鋸を引くときに力をかけやすい。したがって、出代調整装置１００を用いた管路の切断作業時の作業性を高めることが可能となる。更に、図１に示すように、鋸１０２の端部は、湾曲していて、ストッパー１２０の縁よりも突出しているとよい。これにより、管路の内側の薄肉を鋸の端部によって破断することができる。なお、これらの詳細については後述する。
【００２８】
（管路の切断方法）
次に、本実施形態にかかる管路の切断方法を説明する。図３は、管路の切断が必要となる現場について説明する図である。図３（ａ）に示すように、地中配線では、内部に電力ケーブル２０２を収容した配管（以下、管路２０４と称する）によって管路部２１０が形成されている。地中では、この管路部２１０によって隣接するマンホール２００ａ・２００ｂ同士が接続されていて、かかるマンホール２００ａ・２００ｂ内のケーブル接続部２１２において電力ケーブル２０２同士が接続されている。
【００２９】
図３（ａ）に示す地中配線において、管路部２１０において電力ケーブル２０２を分岐させる場合、かかる管路部２１０の管路２０４を切断し、内部に収容されている電力ケーブル２０２に新たな電力ケーブル２０２ａを接続する必要がある。そこで図３（ｂ）に示すように新たなマンホール２００ｃを建設し、管路２０４を切断し、新たなマンホール２００ｃ内において分岐用接続部２１４において電力ケーブル２０２に新たな電力ケーブル２０２ｂを接続する。このとき、管路２０４の内部に収容されている電力ケーブル２０２を損傷しないよう、管路２０４の切断作業には細心の注意を払う必要がある。
【００３０】
図４は、管路部２１０に埋設されている管路２０４が１本の場合の切断方法を説明する図である。管路部２１０に埋設されている管路２０４が１本（単条）の場合、かかる管路２０４の上方には他の管路は存在しない。このため、管路２０４の上方において十分な作業スペースを確保することができる。
【００３１】
そこで、管路２０４が１本の場合には、まず図４（ａ）に示すように、切断工具２３２によって管路２０４の上部２０４ａを半径方向に切断し、その後、サンダー２３４によって上部２０４ａを軸方向に切断する。これにより、図４（ｂ）に示すように管路２０４の上部に開口２０４ｂが形成される。このとき、図４（ａ）に示すように電力ケーブル２０２は管路２０４の下部に位置するため、上部２０４ａに開口２０４ｂを設ける作業は電力ケーブル２０２との接触が生じにくい。
【００３２】
管路２０４の上部に開口２０４ｂを形成したら、図４（ｂ）に示すように、開口２０４ｂから管路２０４と電力ケーブル２０２の間に防護材２０６（通常は鋼板）を差し込む。そして、切断工具２３２によって管路２０４の下部を切断することにより、管路２０４が切断される。このとき、管路２０４の下部は防護材２０６によって保護される。したがって、切断工具２３２との接触による電力ケーブル２０２の損傷を好適に防ぐことができる。
【００３３】
上述したように、管路２０４が１本の場合には、電力ケーブル２０２の損傷を防ぎつつ、比較的容易に管路の切断作業を行うことができる。これに対し、管路２０４が複数（多条）の場合、管路２０４の上方に他の管路が存在することがある。すると、管路２０４の上部２０４ａに開口２０４ｂを形成する作業がしづらいため、防護材２０６による電力ケーブル２０２の保護ができない。そこで本実施形態では、管路２０４が複数（多条）の場合であっても、内部の電力ケーブル２０２を損傷することなく管路２０４の切断作業を行うことが可能な管路の切断方法を提供する。
【００３４】
（管路の切断方法）
図５は、本実施形態にかかる管路２０４の切断方法（以下、切断方法と称する）を説明する図である。本実施形態では、図５（ａ）に示すように３列２行の６つの管路２０４のうち、下段の中央の管路２０４を切断する場合を例示して説明する。ただし、これに限定するものではなく、本実施形態の切断方法は、管路の数に関係なく適用することが可能である。また、以下の説明では、管路２０４のうち、切断する区間（図５（ａ）においてハッチングにて図示）を区間２０５と称する。
【００３５】
本実施形態の切断方法では、まず先に説明した出代調整装置１００を用いた出代調整方法によって、鋸１０２の歯１０２ａの出代を調整する（図２参照）。このとき、ゲージプレート１１０の複数の溝１１２ａ−１１２ｄのうち、管路２０４の厚みよりも若干深さが浅い溝を選択し、その溝の深さに合わせて鋸１０２の歯１０２ａの出代を調整する。
【００３６】
鋸１０２の歯１０２ａの出代を調整したら、図５（ｂ）に示すように、管路２０４のうち切断する区間２０５の両端の２箇所の外周を鋸１０２によって切断する。このとき、鋸１０２の歯１０２ａの出代は管路２０４の厚みよりも若干薄く調整されているため、区間２０５は、薄肉２０５ａ（図６参照）を残した状態で切断される。したがって、外周の切断時に鋸１０２が電力ケーブル２０２に接触することがなく、電力ケーブル２０２の損傷を防ぐことができる。
【００３７】
次に、区間２０５の内側に残った薄肉２０５ａに鋸１０２の端部１０２ｂ（図１参照）を貫通させる。これにより、薄肉２０５ａが破断され、図５（ｃ）に示すように、切断する区間２０５（管路２０４）を筒状に分断され、区間２０５が電力ケーブル２０２にぶら下がった状態となる。
【００３８】
図６は、薄肉２０５ａの破断作業を説明する図である。本実施形態の出代調整装置１００では、図１および図６に示すように、鋸１０２の端部１０２ｂは、湾曲していて、ストッパー１２０の縁よりも突出している。これにより、図６に示すように、鋸１０２の端部１０２ｂを区間２０５に差し込むことにより、鋸１０２の歯１０２ａによって外周を切断していった際に残った内側の薄肉２０５ａを好適に破断することができる。
【００３９】
このとき、鋸１０２の端部１０２ｂは、湾曲している、すなわち鋭利ではない。これにより、仮に鋸１０２の端部１０２ｂが電力ケーブル２０２と接触したとしても、電力ケーブル２０２を傷つけることがない。したがって、電力ケーブル２０２の損傷をより確実に防止することが可能となる。
【００４０】
図７は、ハンドルについて説明する図である。上述したように本実施形態の出代調整装置１００では、ストッパーにハンドルを設けている。詳細には、図２および図７に示すように、ボルト１０４のネジ部１０４ａの長さをストッパー１２０およびナットの厚みよりも長く設定することにより、ネジ部１０４ａをハンドルとして機能させる。これにより、図７に示すように、作業者は、区間の切断作業を行う際にハンドルであるネジ部に指（破線にて図示）を引っかけることができる。これにより、出代調整装置１００を用いた管路２０４の切断作業時の作業性を高めることが可能となる。
【００４１】
再度、図５を参照する。上述したように区間２０５の薄肉２０５ａを破断したら、図５（ｃ）に示すように分断した区間２０５（管路２０４）を電力ケーブル２０２にぶら下げた状態で、分断した区間２０５の下部をサンダー２３４によって軸方向に切断する。これにより、切断対象の区間２０５を電力ケーブル２０２から取り外すことができる。
【００４２】
このとき、図５（ｃ）に示すように、分断した区間２０５を電力ケーブル２０２にぶら下げた状態とすることで、電力ケーブル２０２と区間２０５の下部と間に空間が生じる。これにより、区間２０５の下部を切断する際の鋸１０２と電力ケーブル２０２との接触を防ぐことができる。したがって、狭い空間であっても、電力ケーブル２０２を損傷することなく、良好に切断作業を行うことが可能となる。
【００４３】
なお、本実施形態では、鋸１０２の歯１０２ａの出代を管路２０４の厚みよりも若干薄く調整すると説明したが、仮に薄肉２０５ａを鋸１０２の端部１０２ｂで破断できない場合には、ゲージプレート１１０の複数の溝１１２ａ−１１２ｄのうち、先に調整した深さの次に深い溝を用いて鋸１０２の歯１０２ａの出代を調整するとよい。また管路２０４の厚みが不明である場合には、ゲージプレート１１０の複数の溝１１２ａ−１１２ｄのうち、最も浅い溝を用いて調整し、鋸１０２の端部１０２ｂで薄肉を破断できなかったら、次に深い溝を用いて調整するという作業を繰り返すことが好ましい。
【００４４】
更に、本実施形態では、電力ケーブル２０２を収容する管路２０４を切断する場合を例示して説明したが、これに限定するものではない。例えば、電力ケーブル２０２以外のケーブルを収容する管路を切断する場合や、ケーブル以外の収容物を収容する管路を切断する場合においても本発明の管路の切断方法を適用することができる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
おまじない入れる
【産業上の利用可能性】
【００４６】
本発明は、地中に埋設した管路を切断する際に用いられる鋸の歯の出代調整装置、かかる出代調整装置を用いた鋸の歯の出代調整方法および管路の切断方法に利用することができる。
【符号の説明】
【００４７】
１００…出代調整装置、１０２…鋸、１０２ａ…歯、１０２ｂ…端部、１０４…ボルト、１０４ａ…ネジ部、１１０…ゲージプレート、１１０ａ…上面、１１２ａ…溝、１１２ｂ…溝、１１２ｃ…溝、１１２ｄ…溝、１２０…ストッパー、１２２…挟持片、２００ａ…マンホール、２００ｂ…マンホール、２００ｃ…マンホール、２０２…電力ケーブル、２０２ａ…電力ケーブル、２０２ｂ…電力ケーブル、２０４…管路、２０４ａ…上部、２０４ｂ…開口、２０５…区間、２０５ａ…薄肉、２０６…防護材、２１０…管路部、２１２…ケーブル接続部、２１４…分岐用接続部、２３２…切断工具、２３４…サンダー
【図１】
2020015140.tif 000003
【図２】
2020015140.tif 000004
【図３】
2020015140.tif 000005
【図４】
2020015140.tif 000006
【図５】
2020015140.tif 000007
【図６】
2020015140.tif 000008
【図７】
2020015140.tif 000009